(57)【要約】【課題】洋風化した生活にマッチする家具等、つまりはソファーで省エネ可能な暖房機能を得られる機器を実現する。【解決手段】ソファー５に、ヒータ８（昇温手段）と温度制御手段７と人体検知手段６を有し、前記温度制御手段７は前記人体検知手段６が人体を検知したときにヒータ８を昇温する構成とした。よって、人体検知手段６を有しているため、人体を検知したときに昇温するように制御するので、ソファー５に着座すれば、ソファー５が暖房器具としての機能を実現することができる。【選択図】　図１
2004033344.tif 000002
【特許請求の範囲】
【請求項１】
昇温手段と温度制御手段と人体検知手段を有し、前記温度制御手段は前記人体検知手段が人体を検知したときに前記昇温手段を昇温する構成としたソファー。
【請求項２】
複数の人体検知手段と、複数の昇温手段と、演算手段を備え、前記演算手段は人体検知信号により人体を検知した信号を入力されると人体を検知した人体検知手段の近傍の昇温手段のみを昇温させるように温度制御手段に信号を伝える構成とした請求項１記載のソファー。
【請求項３】
温風吹き出し手段を有し、前記温風吹き出し手段は昇温手段により昇温した温風を吹き出す構成とした請求項１または２記載のソファー。
【請求項４】
人体検知手段は重量検知センサからなる請求項１から３のいずれか１項記載のソファー。
【発明の詳細な説明】
【０００１】
【発明の属する技術分野】
本発明はヒータや触媒燃焼装置等の温度を上昇させる手段を有し、昇温手段を人体検知手段により自動制御するソファーに関するもの。
【０００２】
【従来の技術】
図４に従来の暖房器具のブロック図を示す。図４に示す暖房器具は主に人体に直接触れることにより暖房効果を得ることができる暖房器具を表しており、ここではホットカーペットであるとする。ホットカーペット１は内部にヒータ４を有しており、ヒータ４はリレーなどで構成する温度制御手段３で温度制御される。即ちスイッチ２でホットカーペット１をオンさせるときは、温度制御手段３のリレーをオンし、ヒータ４に通電されてホットカーペット１は暖房機能を発揮する。
【０００３】
【発明が解決しようとする課題】
従来例のホットカーペット１ではスイッチ２をオンしたときは暖房状態を継続することになり、実際には人がいないときなど暖房機能が不要なときもエネルギー源、例えば電力を使用し続けるという課題を有していた。また、例えば１人しか使用しておらず暖房機能が必要な面積が限られているような場合でもホットカーペット全体を暖房状態にする必要があり、同様に不要なエネルギー源、例えば電力を使用し続けるという課題を有していた。また、ホットカーペットは現在一般的な商品となっているが、洋風化した生活にマッチする家具等で暖房機能を得られる機器は現在存在していないという課題を有していた。
【０００４】
【課題を解決するための手段】
上記の課題を解決するために、本発明は、ソファーに昇温手段と人体検知手段を有し、温度を上昇させる機能と、人体を検知することで昇温手段を自動で制御して昇温させることを可能にしている。また演算手段と複数の昇温手段と複数の人体検知手段を搭載することで昇温が必要な箇所のみが昇温可能なため、必要な面積だけを昇温可能にしている。
【０００５】
【発明の実施の形態】
請求項１に記載した発明は、昇温手段と温度制御手段と人体検知手段を有し、前記温度制御手段は前記人体検知手段が人体を検知したときに前記昇温手段を昇温する構成とした。
【０００６】
よって、人体検知手段を有しているため、人体を検知したときに昇温するように制御するので、ソファーに着座すれば、ソファーが暖房器具としての機能を実現することができる。
【０００７】
請求項２に記載した発明は、複数の人体検知手段と、複数の昇温手段と、演算手段を備え、前記演算手段は人体検知信号により人体を検知した信号を入力されると人体を検知した人体検知手段の近傍の昇温手段のみを昇温させるように温度制御手段に信号を伝える構成とした。
【０００８】
よって、人体を検知した場所の近傍のみの昇温を行うので、人体が検知されない位置では昇温手段を実行しないため、必要な位置だけを昇温することになり、省エネ効果を実現している。
【０００９】
請求項３に記載した発明は、温風吹き出し手段を有し、前記温風吹き出し手段は昇温手段により昇温した温風を吹き出す構成とした。
【００１０】
よって、温風吹き出し手段は、昇温手段が人体を検知した時に昇温するので、ソファー上で人体が検知された時に温風を吹き出し、ソファーの雰囲気温度を上昇させることが可能となる。
【００１１】
請求項４に記載した発明は、人体検知手段は重量検知センサからなる。
よって、人体検知手段として、重量検知センサを使用することで、人体の検知を可能にしている。
【００１２】
【実施例】
以下本発明の実施例について、図面を参照しながら説明する。
【００１３】
（実施例１）
以下本発明の実施例１について説明する。図１は本発明の第１の実施例を表すブロック図である。５は本発明のソファー、６はソファー５に内蔵した重量検知センサで構成した人体検知手段、７はソファー５に内蔵した温度制御手段、８はヒータで構成した昇温手段である。
【００１４】
次に図１を用いて本実施例の動作を説明する。人体検知手段６は赤外線センサ、温度センサ、音声認識センサなどが考えられるが、ここでは重量検知センサを使用しているとする。人体検知手段６として重量検知センサを使用することで赤外線を使用したセンサなどに比べてより確実な人体検知が可能である。ソファー５において温度制御手段７は重量検知センサで構成した人体検知手段６で人体を検知したときにヒータ（昇温手段）８を制御し、ヒータ（昇温手段）８がオンする。以上の動作より、本発明のソファーでは、重量検知センサで構成した人体検知手段６が人体を検知した時に温度制御手段７がヒータ８のオン制御を実行するため、人体検知手段６で人体が検知されないときは、温度制御手段７によりヒータ８のオン制御が実行されない。そのため、従来例で説明したホットカーペットの、スイッチ２をオンしている間は暖房状態が継続することになり、スイッチを消し忘れてしまった時や、人がいない時など暖房機能が不要なときもエネルギー源、例えば電力を使用し続けるという課題が解消されることになる。またソファーであるため、設置、収納の必要がなく、年間を通して常設可能を実現している。
【００１５】
（実施例２）
以下本発明の実施例２について説明する。図２は本発明の第２の実施例を表すブロック図で、図３はその構成図である。図２において１９は本発明のソファー、９はソファー１９の背もたれ部、１０は重量検知センサである。重量検知センサ１０は１０ａ、１０ｂ、１０ｃの３つの人体検知手段で構成しているとする。１１は演算手段、１２は温度制御手段である。温度制御手段１２は１２ａ、１２ｂ、１２ｃの３つの温度制御手段で構成しているとする。１３はヒータで構成した昇温手段である。昇温手段は１３ａ、１３ｂ、１３ｃの３つの昇温手段で構成しているとする。１４はソファー１９の着座部、１５は重量検知センサである。重量検知センサ１５は１５ａ、１５ｂ、１５ｃの３つの人体検知手段で構成しているとする。１６は演算手段、１７は温度制御手段である。温度制御手段１７は１７ａ、１７ｂ、１７ｃの３つの温度制御手段で構成しているとする。１８はヒータで構成した昇温手段である。昇温手段は１８ａ、１８ｂ、１８ｃの３つの昇温手段で構成しているとする。２０はファンである。ファンは２０ａ、２０ｂ、２０ｃで構成されているものとする。２１は温風吹き出し口である。温風吹き出し口２１は２１ａ、２１ｂ、２１ｃで構成されているものとする。図３においても同様である。
【００１６】
次に図２、３を用いて本実施例の動作を説明する。ソファー１９の背もたれ部９は３つの重量検知センサ１０ａ、１０ｂ、１０ｃと３つの温度制御手段１２ａ、１２ｂ、１２ｃと３つのヒータ１３ａ、１３ｂ、１３ｃを有している。重量検知センサ１０で人体が検知されれば、人体検知信号を演算部１１に送信し、演算部１１は人体検知信号を送信した重量検知センサ１０の温度制御手段１２をオンし、重量検知センサ１０近傍の昇温手段１３の実行する位置を決定する。ソファーの着座部においても同様の動作を実行する。また着座部においてはファン２０と温風吹き出し口２１を有するため、ソファーに接していない足元の部分も昇温が可能になる。以上の動作により、人体が検知された位置のみを昇温することが可能となる。そのため従来例で説明したように、１人しか使用しておらず暖房機能が必要な面積が限られているような場合でもホットカーペット全体を暖房状態にする必要があり、同様に不要なエネルギー源、例えば電力を使用し続けるという課題が解消される。また、背もたれ部と着座部のそれぞれに、重量検知センサ、温度制御手段、ヒータを有しているため、ソファー上で着座する位置を変えることや、体勢を変化させても必要な面積のみを昇温できる。
【００１７】
【発明の効果】
以上のように、本発明によれば、人体検知手段を搭載することで、効率的な昇温手段が可能となる。例えばスイッチをオンしたときに暖房状態を継続するような、実際には人がいないときなど暖房機能が不要なときもエネルギー源、例えば電力を使用し続けるという課題を解決し、人が使用しているときのみエネルギー源を消費する様な省エネルギーに対して効果が高い。また、例えば１人しか使用しておらず暖房機能が必要な面積が限られているような場合でもホットカーペット全体を暖房状態になっているような不要なエネルギー源、例えば電力を使用し続けるという課題を解決して必要な部分のみ暖房効果を発揮するなどの効果が高い。また、洋風化した生活にマッチする家具等で暖房機能を得られ、さらに、暖房器具の機能を有するソファーであるため、従来のように暖房器具にスペースを占領されることなく、効果的に室内を活用するものである。また、設置、収納の必要がなく、年間を通して常設可能を実現するものである。
【図面の簡単な説明】
【図１】本発明の実施例１であるソファーの構成を示すブロック図
【図２】本発明の実施例２であるソファーのブロック図
【図３】本発明の実施例２であるソファーの構成図
【図４】従来の暖房器具の構成を示すブロック図
【符号の説明】
１　ホットカーペット
３、７、１２、１７　温度制御手段
４、８、１３、１８　ヒータ（昇温手段）
５、１９、ソファー
６、１０、１５　重量検知センサ（人体検知手段）
１１、１６　演算手段
２１　温風吹き出し口
【図１】
2004033344.tif 000003
【図２】
2004033344.tif 000004
【図３】
2004033344.tif 000005
【図４】
2004033344.tif 000006